(57)【要約】【課題】  インプラント表面を間隔を置いて取り囲む複数の弾性支持脚を設け、各弾性支持脚の終端部にインプラント表面に接触するクリーニングティップを設けることにより、汚染されたインプラント表面を短時間内に容易に洗浄することができる歯科用インプラント洗浄器具を提供する。【解決手段】  本発明の歯科用インプラント洗浄器具４０ａは、本体４１ａと、本体４１ａの上部面に設けられ、ハンドピースに装着されるシャンク４２ａと、本体４１ａの下部面に設けられ、インプラント表面を取り囲む弾性支持脚４３ａと、弾性支持脚４３ａの終端部に内側に向かうように設けられ、インプラント表面に接触するクリーニングティップ４４ａと、を含む。【選択図】      図４ａ
2015051265.tif 000002
【特許請求の範囲】
【請求項１】
本体と、
前記本体の上部面に設けられ、ハンドピースに装着されるシャンクと、
前記本体の下部面に設けられ、インプラント表面を取り囲む弾性支持脚と、
前記弾性支持脚の終端部に内側に向かうように設けられ、前記インプラント表面に接触するクリーニングティップと、
を含むことを特徴とする歯科用インプラント洗浄器具。
【請求項２】
前記弾性支持脚は、下向きに真っ直ぐ伸ばすか、下方に行くほど内側に狭くなるように傾斜するか、または、上部はポット形状であり、下方に行くほど内側に狭くなるように傾斜したことを特徴とする請求項１に記載の歯科用インプラント洗浄器具。
【請求項３】
前記クリーニングティップは、前記弾性支持脚の終端部から曲がることを特徴とする請求項１に記載の歯科用インプラント洗浄器具。
【請求項４】
前記曲がった角度は、４５°〜１４５°であることを特徴とする請求項３に記載の歯科用インプラント洗浄器具。
【請求項５】
前記曲がった角度は、鈍角であることを特徴とする請求項４に記載の歯科用インプラント洗浄器具。
【請求項６】
前記弾性支持脚は、円形の断面を有し、十分な弾性力を有するように形成されることを特徴とする請求項１に記載の歯科用インプラント洗浄器具。
【請求項７】
前記弾性支持脚は、０．１ｍｍ〜０．７ｍｍの直径を有することを特徴とする請求項６に記載の歯科用インプラント洗浄器具。
【請求項８】
前記直径は、０．２ｍｍ〜０．４ｍｍであることを特徴とする請求項７に記載の歯科用インプラント洗浄器具。
【請求項９】
前記弾性支持脚は、ＮｉＴｉのようなＴｉ合金材質またはＣｒＣｏのようなステンレス材質で作製されることを特徴とする請求項６に記載の歯科用インプラント洗浄器具。
【請求項１０】
前記クリーニングティップは、前記インプラントの外周面に形成されたねじの深さほどの長さを有し、前記ねじに容易に挿入されるように細く形成され、端部が尖っているか、丸く形成されることを特徴とする請求項６に記載の歯科用インプラント洗浄器具。
【請求項１１】
前記クリーニングティップは、０．１ｍｍ〜０．７ｍｍの長さを有することを特徴とする請求項１０に記載の歯科用インプラント洗浄器具。
【請求項１２】
前記長さは、０．２ｍｍ〜０．４ｍｍであることを特徴とする請求項１１に記載の歯科用インプラント洗浄器具。
【請求項１３】
前記クリーニングティップは、０．１ｍｍ〜０．７ｍｍの直径を有することを特徴とする請求項１０に記載の歯科用インプラント洗浄器具。
【請求項１４】
前記直径は、０．２ｍｍ〜０．４ｍｍであることを特徴とする請求項１３に記載の歯科用インプラント洗浄器具。
【請求項１５】
前記クリーニングティップは、同じ高さに位置するか、または、高低が異なるように位置することを特徴とする請求項２に記載の歯科用インプラント洗浄器具。
【発明の詳細な説明】
【技術分野】
【０００１】
本発明は、歯科用インプラント洗浄機構に関し、より具体的には、歯科用インプラントの手術後、インプラントの表面に付いている歯石、炎症組織または細菌のような異質物を速く容易に洗浄することができるインプラント洗浄機構に関する。
【背景技術】
【０００２】
歯科用インプラントは、機能を失った自然歯の代わりに人工歯を作製するためのもので、歯槽骨にフィクスチャー（ｆｉｘｔｕｒｅ）が固定されるように植立され、フィクスチャーの上にアバットメント（ａｂｕｔｍｅｎｔ）が固定されるように結合され、アバットメントの上に人工歯（補綴物）が固定されるように結合される。
【０００３】
本出願人は、歯科用インプラントを洗浄するための道具として、韓国登録特許第１０−１１５７４０６号の「歯または歯科用インプラントの周辺の異質物除去ブラシ」に関する技術を保有しており、その代表図が図１に図示されている。
【０００４】
図１に示したように、従来の除去ブラシ１０は、ハンドピースのチャックに固定されるように装着されるチャック部１１が一端部に設けられており、ハンドピースの駆動力によって回転しながら歯または歯科用インプラントの周辺に生じる歯石、炎症組織または細菌のような異質物を除去するブラシ部１５が他端部に設けられている。
【０００５】
ブラシ部１５は、他端部の終端から中心軸に沿って突出するように延びるブラシ体１６と、ブラシ体１６の周辺に形成される複数のブラシ毛１７とから構成されている。
【０００６】
図２に示したように、従来の除去ブラシ１０は、チャック部がハンドピース１に装着され、歯科用インプラント２と歯茎３との間に十分な深みに挿入される。このとき、歯茎３は歯石、炎症組織または細菌のような異質物によって腫れ上がり、歯槽骨４は一部が損傷して吸収された状態である。
【０００７】
十分な深みに挿入された除去ブラシ１０は、矢印方向に高速または低速で回転しながら、インプラント２、歯茎３、または歯槽骨４に付いている異質物を除去する。
【０００８】
上述した構成を有する従来の除去ブラシは、作業者がインプラントの表面に沿ってブラシを注意深く動きながら異質物を除去しなければならないため、異質物を除去する作業が不便であっただけでなく、異質物の除去に長時間がかかった。
【発明の概要】
【発明が解決しようとする課題】
【０００９】
本発明は、上述した従来技術の問題点を解決するために創案されたもので、本発明の解決しようとする課題は、インプラント表面を間隔を置いて取り囲む複数の弾性支持脚を設け、各弾性支持脚の終端部にインプラント表面に接触するクリーニングティップを設けることにより、汚染されたインプラント表面を短時間内に容易に洗浄することができる歯科用インプラント洗浄器具を提供することにある。
【課題を解決するための手段】
【００１０】
上述した本発明の解決しようとする課題を達成するために、本発明に係る歯科用インプラント洗浄器具は、本体と、前記本体の上部面に設けられ、ハンドピースに装着されるシャンクと、前記本体の下部面に設けられ、インプラント表面を取り囲む複数の弾性支持脚と、前記弾性支持脚の終端部に内側に向けて設けられ、前記インプラント表面に接触する複数のクリーニングティップと、を含むことを特徴とする歯科用インプラント洗浄器具を提供する。
【００１１】
第１態様において、前記弾性支持脚は下向きに真っ直ぐ伸ばすことを特徴とし、前記クリーニングティップは前記弾性支持脚の終端部から曲がることを他の特徴とし、前記曲がった角度は４５°〜１４５°であることをさらに他の特徴とし、前記曲がった角度は鈍角であることをさらに他の特徴とする。
【００１２】
第２態様において、前記弾性支持脚は下方に行くほど内側に狭くなるように傾斜したことを特徴とし、前記クリーニングティップは前記弾性支持脚の終端部から曲がることを他の特徴とし、前記曲がった角度は４５°〜１４５°であることをさらに他の特徴とし、前記曲がった角度は鈍角であることをさらに他の特徴とする。
【００１３】
第３態様において、前記弾性支持脚は、上部はポット形状であり、下方に行くほど内側に狭くなるように傾斜したことを特徴とし、前記クリーニングティップは前記弾性支持脚の終端部から曲がることを他の特徴とし、前記曲がった角度は４５°〜１４５°であることをさらに他の特徴とし、前記曲がった角度は鈍角であることをさらに他の特徴とする。
【発明の効果】
【００１４】
本発明の歯科用インプラント洗浄器具によれば、インプラント表面を間隔を置いて取り囲む複数の弾性支持脚が設けられ、各弾性支持脚の終端部にインプラント表面に接触するクリーニングティップが設けられ、ハンドピースの駆動力によってクリーニングティップがインプラント表面に沿って回転、両方向反復回転または振動するので、異質物で汚染されたインプラント表面が短時間内に容易に洗浄されることができ、非熟練の作業者も洗浄作業を非常に容易に成功的に行うことができる。
【図面の簡単な説明】
【００１５】
【図１】従来の除去ブラシの概略的な斜視図である。
【図２】図１の除去ブラシを使用してインプラント表面を洗浄する様子を例示した概略図である。
【図３】本発明の第１態様に係る歯科用インプラント洗浄器具の概念図である。
【図４ａ】図３の第１態様に係る多様な実施例に係る歯科用インプラント洗浄器具の概略図である。
【図４ｂ】図３の第１態様に係る多様な実施例に係る歯科用インプラント洗浄器具の概略図である。
【図５】本発明の第２態様に係る歯科用インプラント洗浄器具の概念図である。
【図６ａ】図５の第２態様に係る一実施例に係る歯科用インプラント洗浄器具の概略図である。
【図７】本発明の第３態様に係る歯科用インプラント洗浄器具の概念図である。
【図８ａ】図７の第３態様の一実施例に係る歯科用インプラント洗浄器具の概略図である。
【図９】図３の歯科用インプラント洗浄器具の使用例を示した例示図である。
【発明を実施するための形態】
【００１６】
以下、本発明の多様な態様及びそれに伴う好ましい実施例の歯科用インプラント洗浄器具について、添付した図面を参照して具体的に説明する。
（第１態様）
図３は、本発明の第１態様に係る歯科用インプラント洗浄器具の概念図である。本発明の第１態様に係る歯科用インプラント洗浄器具３０は、インプラント表面を取り囲む複数の弾性支持脚３３と、各弾性支持脚３３の終端部に設けられ、インプラント表面に接触するクリーニングティップ３４とを含む。
【００１７】
図３に示したように、本体３１の上部面には、ハンドピースに装着されるシャンク３２が設けられ、本体３１の下部面には複数の弾性支持脚３３が下向きに真っ直ぐ伸ばすように設けられる。また、複数の弾性支持脚３３の終端部には、内側に向かうようにクリーニングティップ３４が設けられる。このとき、弾性支持脚３３の間の距離ｄ１は、クリーニングティップ３４の間の距離ｄよりも大きい。また、クリーニングティップ３４は、複数の弾性支持脚３３に対して内側に曲がるようになるが、曲げ角度βは４５°〜１４５°であってもよい。角度βが９０°よりも小さい場合には、クリーニングティップ３４の間にインプラントがより容易に進入できるという長所があり、角度βが９０°よりも大きい場合には、洗浄力がより優れるという長所がある。
【００１８】
本発明の第１態様を実施した多様な実施例を図４ａ〜図４ｂに示した。図４ａ〜図４ｂは、図３の第１態様に係る多様な実施例に係る歯科用インプラント洗浄器具の概略図である。
【００１９】
図４ａに示したように、第１態様に係る一実施例の歯科用インプラント洗浄器具４０ａは、本体４１ａ、シャンク４２ａ、複数の弾性支持脚４３ａ、及び複数のクリーニングティップ４４ａを含む。
【００２０】
本体４１ａは円筒形であり、製造費用の減少の観点からプラスチック材質で射出成形によって作製されるが、これとは異なり、用途に合うように金属材質で作製してもよい。
【００２１】
シャンク４２ａは、ハンドピースのような駆動装置に装着される部位であって、一般的なシャンクとその構造が同じであるので、具体的な説明は省略する。
【００２２】
複数の弾性支持脚４３ａは、インプラント表面を取り囲む部位であって、円形の断面を有し、十分な弾性力を有するように形成される。弾性支持脚４３ａの材質としては、ＮｉＴｉのようなＴｉ合金材質またはＣｒＣｏのようなステンレス材質が好ましい。弾性支持脚４３ａは、０．１ｍｍ〜０．７ｍｍ、好ましくは０．２ｍｍ〜０．４ｍｍの直径を有する。
【００２３】
複数のクリーニングティップ４４ａは、インプラント表面に接触して表面を洗浄する部位であって、円形の断面を有し、複数の弾性支持脚４３ａに対して内側に曲がっている。このとき、洗浄力を高めるために、クリーニングティップ４４ａは弾性支持脚４３ａに対して鈍角を成している。
【００２４】
各クリーニングティップ４４ａは、インプラントの外周面に形成されたねじの深さほどの長さを有し、ねじに容易に挿入されるように細く形成される。また、クリーニングティップ４４ａは、端部が尖っているか、丸く形成されるが、図４ａではクリーニングティップ４４ａの端部が丸く形成されている。クリーニングティップ４４ａは、０．１ｍｍ〜０．７ｍｍの長さ、好ましくは０．３ｍｍ〜０．５ｍｍの長さを有し、０．１ｍｍ〜０．７ｍｍの直径、好ましくは０．２ｍｍ〜０．４ｍｍの直径を有する。また、複数のクリーニングティップ４４ａは、同じ高さに位置するようになっている。
【００２５】
図４ｂに示したように、第１態様に係る他の実施例の歯科用インプラント洗浄器具４０ｂは、本体４１ｂ、シャンク４２ｂ、複数の弾性支持脚４３ｂ、及び複数のクリーニングティップ４４ｂを含む。
【００２６】
本体４１ｂ、シャンク４２ｂ及び複数の弾性支持脚４３ｂは、図４ａの本体４１ａ、シャンク４２ａ及び複数の弾性支持脚４３ａと同じであるので、重複を避けるためにこれについての具体的な説明は省略する。
【００２７】
複数のクリーニングティップ４４ｂは、図４ａの複数のクリーニングティップ４４ａとは異なり、複数のクリーニングティップ４４ｂが異なる高さに位置するようになっている。クリーニングティップ４４ｂの高低が異なると、インプラント表面に対する洗浄面積がより広く確保することができ、洗浄時間を減らすことができるという効果が発揮される。
（第２態様）
図５は、本発明の第２態様に係る歯科用インプラント洗浄器具の概念図である。本発明の第２態様に係る歯科用インプラント洗浄器具５０は、インプラント表面を取り囲む複数の弾性支持脚５３と、各弾性支持脚５３の終端部に設けられ、インプラント表面に接触するクリーニングティップ５４とを含む。
【００２８】
図５に示したように、本体５１の上部面にはハンドピースに装着されるシャンク５２が設けられ、本体５１の下部面には複数の弾性支持脚５３が設けられる。複数の弾性支持脚５３は、下方に行くほど内側に狭くなるように角度α１を有して傾斜しており、その終端部には内側に向かうようにクリーニングティップ５４が設けられる。このとき、弾性支持脚５３の間の距離ｄ２は、クリーニングティップ５４の間の距離ｄよりも大きく、図３の弾性支持脚３３の間の距離ｄ１よりも大きい。また、クリーニングティップ５４は、複数の弾性支持脚５３に対して内側に曲がるようになるが、曲げ角度βは４５°〜１４５°であってもよい。角度βが９０°よりも小さい場合には、クリーニングティップ５４の間にインプラントがより容易に進入できるという長所があり、角度βが９０°よりも大きい場合には、洗浄力がより優れるという長所がある。
【００２９】
本発明の第２態様を実施した一実施例を図６ａに示した。図６ａは、図５の第２態様に係る一実施例に係る歯科用インプラント洗浄器具の概略図である。
【００３０】
図６ａに示したように、第２態様に係る一実施例の歯科用インプラント洗浄器具６０ａは、本体６１ａ、シャンク６２ａ、複数の弾性支持脚６３ａ、及び複数のクリーニングティップ６４ａを含む。
【００３１】
本体６１ａ、シャンク６２ａ及び複数のクリーニングティップ６４ａは、図４ａの本体４１ａ、シャンク４２ａ及び複数のクリーニングティップ４４ａと同じであるので、重複を避けるためにこれについての具体的な説明は省略する。
【００３２】
複数の弾性支持脚６３ａは、図４ａの複数の弾性支持脚４３ａとは異なり、下方に行くほど内側に狭くなるように傾斜している。図示していないが、このとき、傾斜した角度は、図５の複数の弾性支持脚５３の傾斜した角度α１と同一である。
【００３３】
複数のクリーニングティップ６４ａは、同じ高さに位置するようになっているが、これとは異なり、図４ｂのように異なる高さに位置してもよい。
（第３態様）
図７は、本発明の第３態様に係る歯科用インプラント洗浄器具の概念図である。本発明の第３態様に係る歯科用インプラント洗浄器具７０は、インプラント表面を取り囲む複数の弾性支持脚７３と、各弾性支持脚７３の終端部に設けられ、インプラント表面に接触するクリーニングティップ７４とを含む。
【００３４】
図７に示したように、本体７１の上部面にはハンドピースに装着されるシャンク７２が設けられ、本体７１の下部面には複数の弾性支持脚７３が設けられる。複数の弾性支持脚７３は、上部はポット形状であり、下方に行くほど内側に狭くなるように角度α２を有して傾斜しており、その終端部の内側にクリーニングティップ７４が設けられる。このとき、弾性支持脚７３の間の距離ｄ３は、クリーニングティップ７４の間の距離ｄよりも大きく、図３の弾性支持脚３３の間の距離ｄ１よりも大きく、図５の弾性支持脚５３の間の距離ｄ２よりは小さい。また、弾性支持脚７３の傾斜した角度α２は、図５の弾性支持脚５３の傾斜した角度α１よりも小さい。
【００３５】
また、クリーニングティップ７４は、複数の弾性支持脚７４に対して内側に曲がるようになるが、曲げ角度βは４５°〜１４５°であってもよい。角度βが９０°よりも小さい場合には、クリーニングティップ７４の間にインプラントがより容易に進入できるという長所があり、角度βが９０°よりも大きい場合には、洗浄力がより優秀になるという長所がある。
【００３６】
本発明の第３態様を実施した一実施例を図８ａに示した。図８ａは、図７の第３態様に係る一実施例に係る歯科用インプラント洗浄器具の概略図である．
図８ａに示したように、第３態様に係る一実施例の歯科用インプラント洗浄器具８０ａは、本体８１ａ、シャンク８２ａ、複数の弾性支持脚８３ａ、及び複数のクリーニングティップ８４ａを含む。
【００３７】
本体８１ａ、シャンク８２ａ及び複数のクリーニングティップ８４ａは、図４ａの本体４１ａ、シャンク４２ａ及び複数のクリーニングティップ４４ａと同じであるので、重複を避けるためにこれについての具体的な説明は省略する。
【００３８】
複数の弾性支持脚８３ａは、上部がポット形状であり、下方に行くほど内側に狭くなるように角度α２を有して傾斜している。図示していないが、このとき、傾斜した角度は、図７の複数の弾性支持脚７３の傾斜した角度α２と同一である。
【００３９】
複数のクリーニングティップ８４ａは、同じ高さに位置するようになっているが、これとは異なり、図４ｂのように異なる高さに位置してもよい。
【００４０】
図９は、図３の歯科用インプラント洗浄器具の使用例を示した例示図である。図９のように、歯科用インプラント洗浄器具３０は、歯槽骨の一部が損失されているので、外部に露出したインプラントを洗浄するために使用される。このとき、露出したインプラント１は、洗浄器具３０のクリーニングティップ３４がインプラント１の表面に接触するように複数の弾性支持脚３３の中に挿入され、ハンドピースが作動される。ハンドピースの作動とともに、洗浄器具３０が高速または低速で回転しながら、クリーニングティップ３４がインプラント１の表面に付いている歯石、炎症組織または細菌のような異質物をきれいに除去するようになる。このとき、ハンドピースの駆動は、基本的に一方向の回転運動を発生させるが、これとは異なり、両方向の反復回転運動または振動運動であってもよい。
【００４１】
以上、本発明の多様な態様とそれに伴う好適な実施例を参考にして、本発明の歯科用インプラント洗浄器具について説明したが、本発明の思想を外れない範囲内で多様な変更、変形または修正が可能であることは、当業者に明白である。
【符号の説明】
【００４２】
３０、４０ａ、４０ｂ、５０、６０ａ、７０、８０ａ：歯科用インプラント洗浄器具
３１、４１ａ、４１ｂ、５１、６１ａ、７１、８１ａ：本体
３２、４２ａ、４２ｂ、５２、６２ａ、７２、８２ａ：シャンク
３３、４３ａ、４３ｂ、５３、６３ａ、７３、８３ａ：複数の弾性支持脚
３４、４４ａ、４４ｂ、５４、６４ａ、７４、８４ａ：クリーニングティップ
【図１】
2015051265.tif 000003
【図２】
2015051265.tif 000004
【図３】
2015051265.tif 000005
【図４ａ】
2015051265.tif 000006
【図４ｂ】
2015051265.tif 000007
【図５】
2015051265.tif 000008
【図６ａ】
2015051265.tif 000009
【図７】
2015051265.tif 000010
【図８ａ】
2015051265.tif 000011
【図９】
2015051265.tif 000012